(57)【要約】      （修正有）【課題】坑内で二次覆工コンクリートの初期養生を行う場合に、養生パネルの組立と解体作業を減らすことができる養生設備用移動架台を提供する。【解決手段】坑８のアーチ状の二次覆工コンクリート９を養生するための、複数の養生パネル１１がアーチ状の保持材１４に保持されることでアーチ状に組み立てられてなる養生設備１０を、坑８の長さ方向に移動させるための養生設備用移動架台２０とする。さらに、組み立てられた状態の養生設備１０を支持する支持部３５と、組み立てられた状態の養生設備１０を、養生パネル１１が二次覆工コンクリート９の内周面９ａに当接する上昇位置と、該養生設備１０の隣で二次覆工コンクリート９の養生に使用中の他の養生設備の内空間を移動できる下降位置とに、支持部３５と共に昇降させる昇降手段２７と、移動のための車輪２６とを備えた養生設備用移動架台。【選択図】図１
0003180356.tif 000002
【実用新案登録請求の範囲】
【請求項１】
坑（８）のアーチ状の二次覆工コンクリート（９）を養生するための、複数の養生パネル（１１）がアーチ状の保持材（１４）に保持されることでアーチ状に組み立てられてなる養生設備（１０）を、坑（８）の長さ方向に移動させるための養生設備用移動架台（２０、５０）であって、
前記組み立てられた状態の養生設備（１０）を支持する支持部（３５、７２）と、
前記組み立てられた状態の養生設備（１０）を、前記養生パネル（１１）が二次覆工コンクリート（９）の内周面（９ａ）に当接する上昇位置と、該養生設備（１０）の隣で二次覆工コンクリート（９）の養生に使用中の他の養生設備（１０ａ、１０ｂ）の内空間を移動できる下降位置とに、前記支持部（３５、７２）と共に昇降させる昇降手段（２７、７１）と、
前記移動のための車輪（２６、５６）とを備えた養生設備用移動架台。
【請求項２】
前記養生設備用移動架台（２０、５０）は、打設後のセントル台車（５）の移動により露出する二次覆工コンクリート（９ｂ）の長さと同じ長さの前記養生設備（１０）を支持できるものである請求項１記載の養生設備用移動架台。
【請求項３】
坑（８）の長さ方向に間隔をおいて並ぶ複数の前記保持材（１４）は、坑（８）の長さ方向に延びる繋ぎ材（１７）を介して連結されている請求項１又は２記載の養生設備用移動架台。
【請求項４】
前記昇降手段は、昇降ジャッキ（２７）又は電動チェーンブロック（７１）である請求項１〜３のいずれか一項に記載の養生設備用移動架台。
【請求項５】
前記養生設備用移動架台（２０、５０）は、前記支持部（３５、７２）に支持されている前記養生設備（１０）の前記保持材（１４）の両下端部を該養生設備用移動架台（２０、５０）に引き寄せるための引き寄せ機構（２８、５８）を備えている請求項１〜４のいずれか一項に記載の養生設備用移動架台。
【請求項６】
前記養生設備用移動架台（２０、５０）は、坑（８）の長さ方向に間隔をおいて並ぶ複数の門型支柱（２１、５１）が前記支持部（３５、７２）で連結された門型の架台である請求項１〜５のいずれか一項に記載の養生設備用移動架台。
【請求項７】
前記車輪（２６、５６）は、地面（７）に敷設されたレール（６）上を移動する請求項１〜６のいずれか一項に記載の養生設備用移動架台。
【請求項８】
前記養生パネル（１１）は、坑（８）の長さ方向に間隔をおいて複数の係合凹部（１２）が裏面に凹設され、それぞれの係合凹部（１２）に前記保持材（１４）を係合している請求項１〜７のいずれか一項に記載の養生設備用移動架台。
【請求項９】
前記保持材（１４）は、塩化ビニルパイプよりなり、両下端部に設けられたサポートジャッキ（１９）の伸長によって前記養生パネル（１１）を二次覆工コンクリート（９）の内周面（９ａ）に当接させる請求項１〜８のいずれか一項に記載の養生設備用移動架台。
【考案の詳細な説明】
【技術分野】
【０００１】
本考案は、トンネル等の既打設の二次覆工コンクリートの初期養生に用いられる養生設備を移動するための移動架台に関するものである。
【背景技術】
【０００２】
トンネル等の既打設の二次覆工コンクリートの初期養生に用いる養生設備として様々なものが提案されている。
【０００３】
例えば、特許文献１には、流体の供給によりアーチ状に膨らんで覆工コンクリート面に対しほぼ一様に外周面が密着する養生バールーンと、この養生バルーンをその内周面で支持して搭載するほぼ門型の移動台車とを備える養生装置が開示されている。
【０００４】
また、特許文献２には、図１２に示すように、既打設でアーチ状の二次覆工コンクリート９の内周面９ａの曲率に応じた形状の表面を有し、二次覆工コンクリート９の内周面９ａを覆うように内周面９ａの周方向に組立てられる複数の養生材９１と、複数の養生材９１の各裏面を押圧することで複数の養生材９１を保持するアーチ状の保持材９２とを有する養生設備９０が開示されている。
【先行技術文献】
【特許文献】
【０００５】
【特許文献１】特開２００５−２９９３２３号公報
【特許文献２】特許第３９７７８４９号公報
【考案の概要】
【考案が解決しようとする課題】
【０００６】
しかし、特許文献１に係る発明は、台車を用いていることから設備が大掛かりになっているうえに、養生バルーンの自重が大きいことから、全体の構造が複雑になると共に、コスト高になっている。
また、特許文献１に係る発明は、特許文献１の段落００１９に「所定の養生期間経過後は、送風機の運転を停止して養生バルーン２０からエアーを排出し、次の養生区間に移動台車１１を前進させる。」との記載がある。これではせっかく形成した密閉状態を移動台車（養生装置）を移動させる度に解除しなければならず、養生途中で一時的に覆工コンクリートと縁切りされることから、養生装置による効果（保温と保湿）が一時的に解除されてしまい、効率的に養生が行えない。
【０００７】
特許文献２に係る発明は、台車を用いることなく、支持材により自立できることから、簡単な構造とすることができる。また、養生が終了するまで、二次覆工コンクリートと養生材とを縁切りしないことから、効率的に養生を行うことができる。
【０００８】
ところで、トンネル内壁面をコンクリートで覆工する場合は、セントル台車に設けられているアーチ形状の型枠を用い、坑口から逐次、型枠が設けられた区間毎に、二次覆工コンクリートの打設が行われる。そのため、特許文献２に係る発明は、セントル台車が移動する度に、新たに打設された二次覆工コンクリートに対して養生材の組立が行われている。また、初期養生が終了した二次覆工コンクリートに対して養生材の解体が行われている。
【０００９】
しかし、養生材の組立及び解体は人手で行っていることから、長大トンネルに特許文献２に係る発明を用いた場合には、養生材の組立と解体との繰り返し作業に多くの人手を費やすことになっている。
【００１０】
そこで、本考案は、複数の養生パネルを二次覆工コンクリートの内周面を覆うように組み立てて使用する養生設備により二次覆工コンクリートの初期養生を行う場合に、養生パネルの組立と解体との繰り返し作業を減らせるよう、複数の養生パネルが組み立てられた状態の養生設備を支持して、他の養生設備の内空間を移動できるようにする養生設備用移動架台を提供することを目的とする。
【課題を解決するための手段】
【００１１】
上記課題を解決するため、本考案の養生設備用移動架台は、坑のアーチ状の二次覆工コンクリートを養生するための、複数の養生パネルがアーチ状の保持材に保持されることでアーチ状に組み立てられてなる養生設備を、坑の長さ方向（二次覆工コンクリートの長さ方向）に移動させるための養生設備用移動架台であって、前記アーチ状の養生設備を支持する支持部と、前記アーチ状の養生設備を、前記養生パネルが二次覆工コンクリートの内周面に当接する上昇位置と、該養生設備の隣で二次覆工コンクリートの養生に使用中の他の養生設備の内空間を移動できる下降位置とに、前記支持部と共に昇降させる昇降手段と、前記移動のための車輪とを備えたものである。
【００１２】
本考案における各要素の態様を以下に例示する。
【００１３】
１．養生設備用移動架台
養生設備用移動架台は、特に限定されないが、打設後のセントル台車の移動により露出する二次覆工コンクリートの長さと同じ長さの養生設備を支持できるものであることが好ましい。なぜなら、打設後のセントル台車の移動により露出する二次覆工コンクリートの内面を養生設備用移動架台で移動させた養生設備で効率よく覆うことができるからである。
【００１４】
また、昇降手段としては、特に限定されないが、手動、油圧、エア又は電動等の昇降ジャッキや、電動チェーンブロック等を例示できる。
【００１５】
また、養生設備用移動架台は、支持している養生設備の保持材の両下端部を養生設備用移動架台に引き寄せるための引き寄せ機構を備えていることが好ましい。なぜなら、二次覆工コンクリートの初期養生に使用中の他の養生設備の内空間を移動する時に、支持している養生設備と他の養生設備との間隔を大きくできて、養生設備が互いに干渉することを低減できるからである。
引き寄せ機構としては、特に限定されないが、ターンバックル、レバーブロック（登録商標）等を例示できる。
【００１６】
また、養生設備用移動架台は、坑の長さ方向に間隔をおいて並ぶ複数の門型支柱が支持部で連結された門型の架台であることが好ましい。なぜなら、養生設備用移動架台を容易に通り抜けることができるからである。
【００１７】
また、車輪は、地面に敷設されたレール上を移動することが好ましい。なぜなら、地面に敷設されたレールは二次覆工コンクリートと略平行に設けられていることから、初期養生に使用中の他の養生設備に干渉することなく容易にその内空間を移動できるからである。また、車輪は、電動機等を備えた、所謂、自走式であることが好ましい。なぜなら、移動が容易に行えるからである。
【００１８】
２．養生設備
養生設備は、特に限定されないが、打設後のセントル台車の移動により露出する二次覆工コンクリートの長さと同じ長さであることが好ましい。なぜなら、初期養生に使用された養生設備を移動させることで、露出した二次覆工コンクリートをそのまま覆うことができるからである。
用いられる養生設備の数は、特に限定されないが、３又は４機を例示できる。
【００１９】
２−１．養生パネル
養生パネルの大きさは、特に限定されないが、長さが１０００〜３０００ｍｍ、幅が５００〜１０００ｍｍ、厚さが５０〜２００ｍｍを例示できる。
【００２０】
養生パネルの材料は、特に限定されないが、保温性及び保湿性に優れると共に軽量で扱い易いことから、発泡スチロール、発泡ポリエチレン、発泡ウレタン等の発泡樹脂が好ましく、二次覆工コンクリートの内周面の曲率に応じた形状に表面を簡単かつ確実に加工することができると共に、比較的高強度であることから発泡スチロールがより好ましい。
【００２１】
養生パネルの形態は、特に限定されないが、表面が二次覆工コンクリートの内周面の曲率に応じた形状を例示できる。また、略矩形状で周囲に係止凸部と係止凹部とがそれぞれ形成され、この係止凸部と係止凹部とを介して相隣接する養生パネル同士が係止されることが好ましい。なぜなら、相隣接する養生パネル同士の繋ぎ部分の隙間を簡単かつ確実に遮蔽することができ、外気を確実かつ有効に遮断することができるからである。
【００２２】
また、養生パネルは、坑の長さ方向に間隔をおいて複数の係合凹部が裏面に凹設され、それぞれの係合凹部に保持材を係合していることが好ましい。なぜなら、係合凹部により保持材を養生パネルに確実に係合させることができると共に、坑の長さ方向に間隔をおいた複数の係合凹部にそれぞれ保持材が係合されることで、複数の保持材により一枚の養生パネルを押圧することができ、養生パネルの部位による二次覆工コンクリートへの押圧力のバラツキを小さくできるからである。
【００２３】
２−２．保持材
保持材の態様は、特に限定されないが、塩化ビニルパイプよりなり、両下端部に設けられたサーポートジャッキの伸長によって養生パネルを二次覆工コンクリートの内周面に当接させる態様が好ましい。なぜなら、塩化ビニルパイプよりなることで二次覆工コンクリートの内周面への養生パネルの当接に塩化ビニルパイプの復元力を利用することができると共に、サーポートジャッキによって、養生パネルを容易に二次覆工コンクリートの内周面に当接させて保持することができるからである。
サポートジャッキとしては、特に限定されないが、棒ジャッキ等を例示できる。
【００２４】
また、坑の長さ方向に間隔をおいて並ぶ複数の保持材は、坑の長さ方向に延びる繋ぎ材を介して連結されていることが好ましい。なぜなら、養生設備用移動架台による移動時に養生設備が解体することを防止できるからである。
【００２５】
３．坑
坑は、特に限定されないが、トンネル、暗渠等を例示できる。
【考案の効果】
【００２６】
本考案によれば、複数の養生パネルを組み立てて使用する養生設備により二次覆工コンクリートの初期養生を行う場合に、養生パネルの組立と解体との繰り返し作業を減らすことができる。
【図面の簡単な説明】
【００２７】
【図１】実施例１の養生設備用移動架台をトンネルの坑口側から見た図である。
【図２】同養生設備用移動架台をトンネルの側方側から見た図である。
【図３】養生設備の養生プレート組立時の斜視図である。
【図４】同養生設備の一部を示し、（ａ）は斜視図、（ｂ）は繋ぎ材に沿って切断した端面図である。
【図５】同養生設備を示し、（ａ）はトンネルの坑口側から見た図、（ｂ）はトンネルの側方側から見た図である。
【図６】実施例１の養生設備用移動架台による養生設備の移動をトンネルの側方側から見た状態を示し、（ａ）は坑口側の養生設備の内空間に同養生設備用移動架台を移動させた図、（ｂ）は同養生設備用移動架台の支持部を上昇させた図、（ｃ）は同養生設備用移動架台の支持部を下降させて同養生設備を同養生設備用移動架台で支持した図である。
【図７】実施例１の養生設備用移動架台による養生設備の移動をトンネルの側方側から見た状態を示し、（ａ）は養生設備を支持した養生設備用移動架台が初期養生中の他の養生設備の内空間を坑口側から切羽側へ移動している図、（ｂ）はセントル台車の移動により露出した二次覆工コンクリートの内空間に移動してきた養生設備を自立させている図、（ｃ）は坑口側の養生設備の内空間に同養生設備用移動架台を移動させた図である。
【図８】実施例１の養生設備用移動架台による養生設備の移動をトンネルの坑口側から見た状態を示し、（ａ）は坑口側の養生設備の内空間に同養生設備用移動架台を移動させた図、（ｂ）同養生設備用移動架台の支持部を上昇させた図である。
【図９】実施例１の養生設備用移動架台による養生設備の移動をトンネルの坑口側から見た状態を示し、（ａ）は同養生設備用移動架台の支持部を下降させて同養生設備を同養生設備用移動架台で支持した図、（ｂ）は養生設備を支持した養生設備用移動架台が初期養生中の他の養生設備の内空間を坑口側から切羽側へ移動している図である。
【図１０】実施例２の養生設備用移動架台をトンネルの坑口側から見た図である。
【図１１】同養生設備用移動架台をトンネルの側方側から見た図である。
【図１２】従来の養生設備をトンネルの坑口側から見た図である。
【考案を実施するための形態】
【実施例１】
【００２８】
本考案の実施例１の養生設備用移動架台２０について図１〜９を用いて説明する。
【００２９】
養生設備用移動架台２０は、既打設の二次覆工コンクリート９の初期養生に用いられる養生設備１０を移動するための移動架台である。
【００３０】
養生設備１０は、例えば、山岳のトンネル８の内壁に坑口から逐次打設されたアーチ状の二次覆工コンクリート９の内周面９ａを覆って、二次覆工コンクリート９の初期養生に用いられるものであり、二次覆工コンクリート９の内周面９ａを覆うようにアーチ状に組み立てられた複数の養生パネル１１と、組み立てられた複数の養生パネル１１の表面（二次覆工コンクリート９側の面）が二次覆工コンクリート９の内周面９ａに当接するように、養生パネル１１の裏面（表面に対向する面）を押圧して複数の養生パネル１１を保持する、二次覆工コンクリート９の周方向（トンネル８の周方向）に延びるアーチ状の複数の保持材１４と、複数の保持材１４を連結する、二次覆工コンクリート９の長さ方向（トンネル８の長さ方向）に延びる複数の繋ぎ材１７とを備えている。養生設備１０は、サポートジャッキ１９の伸長により保持材１４が養生パネル１１を押圧することで自立している。なお、養生設備１０より下方の二次覆工コンクリート９の内周面９ａには、コーナー養生材１８が設けられている。
【００３１】
また、養生設備１０は、二次覆工コンクリート９の長さ方向の長さが１０５００ｍｍであり、１１４枚（二次覆工コンクリート９の周方向１９枚×二次覆工コンクリート９の長さ方向６枚）の養生パネル１１と１２本の保持材１４と７本の繋ぎ材１７とを有している。
【００３２】
養生パネル１１は、発泡スチロールよりなり、長辺が１７５０ｍｍの略区形状（厚さが１００ｍｍ）である。表面は二次覆工コンクリート９の内周面９ａの曲率に応じた形状に形成されている。裏面には保持材１４を係合するための二本の係合凹部１２が互いに離間して凹設されている。係合凹部１２は養生パネル１１の短辺と略平行に延びている。また、養生パネル１１は、一方の長辺と一方の短辺とにそれぞれの辺に沿って延びる凸条の係止凸部１３ａが形成され、他方の長辺と他方の短辺とにそれぞれの辺に沿って延びる凹条の係止凹部１３ｂが形成されている。養生パネル１１は、組み立てられたときに、係止凸部１３ａを隣接する養生パネル１１の係止凹部１３ｂと係止させ、係止凹部１３ｂを他の隣接する養生パネル１１の係止凸部１３ａと係止させている。
【００３３】
保持材１４は、塩化ビニルパイプよりなり、二次覆工コンクリート９の内周面９ａより一回り小さい略半円環状に湾曲し、係合凹部１２に係合している。また、保持材１４と養生パネル１１とは、ゴム等を用いた係合手段（図示省略）により互いに離脱しないように係合している。
【００３４】
繋ぎ材１７は、鋼管よりなり、保持材１４に取着して、二次覆工コンクリート９の長さ方向に離れて設けられている保持材１４同士を連結している。そのため、複数の保持材１４と複数の繋ぎ材１７とにより略半割円筒状の格子が形成されている。繋ぎ材１７と保持材１４との接合にはＵボルト１５が用いられている。
【００３５】
サポートジャッキ１９は、トンネル８内の地面７に置かれた棒ジャッキであり、保持材１４の下端付近に取着された繋ぎ材１７に上端部が当接することで、繋ぎ材１７を介して保持材１４を支持している。
【００３６】
養生設備用移動架台２０は、鋼材からなっており、トンネル８内の地面７に互いに平行に敷設された２本のレール６に載っている２本の門型支柱２１と、２本の門型支柱２１を繋ぐ連結桁３２、３３、３４、３５とを備えている。
【００３７】
門型支柱２１は、二次覆工コンクリート９の長さ方向に互いに間隔をおいて略平行に直立して並んでいる。門型支柱２１は、上方へと延びる２本の脚部２２と、この２本の脚部２２を繋ぐ上下２本の繋ぎ部２３、２４とを有して門型をしている。脚部２２の下端には、レール６に沿ってトンネル８内を容易に移動できるように車輪２６が軸支されている。車輪２６は、ゴム車輪又はプラスチック車輪である。レール６は溝型鋼からなり、この溝面を車輪２６が移動する。
【００３８】
また、脚部２２は、上脚部２２ａと下脚部２２ｂとからなる。上脚部２２ａは、下部を上下方向に摺動可能に下脚部２２ｂに内挿している。下脚部２２ｂの内部には昇降ジャッキ２７が設けられている。昇降ジャッキ２７の上端は、上脚部２２ａの下端に当接して、上脚部２２ａを支持している。昇降ジャッキ２７を伸縮することにより、脚部２２は伸縮して、後述する支持部が昇降する。また、下脚部２２ｂの下部には、養生設備１０を支持するときに、保持材１４の両下端部を養生設備用移動架台２０に引き寄せるためのレバーブロック（登録商標）２８が設けられている。
【００３９】
また、門型支柱２１には、２本の繋ぎ部２３、２４の中間部を繋ぐ中間連結体２９と、上繋ぎ部２３の中間部から下繋ぎ部２４に係合して上脚部２２ａまで斜めに延びる第一斜体３０と、上脚部２２ａの上端部から第一斜体と下繋ぎ部２４との係合部まで斜めに延びる第二斜体３１とが設けられている。
【００４０】
連結桁は、下脚部２２ｂの下端部を繋ぐ第一連結桁３２と、下脚部２２ｂの上端部を繋ぐ第二連結桁３３と、上脚部２２ａの中間部を繋ぐ第三連結桁３４と、上脚部２２ａの上端部を繋ぐ第四連結桁３５とからなる。第四連結桁３５は門型支柱２１を超えて延伸している。この第四連結桁３５が養生設備１０を支持する支持部である。また、第四連結桁３５の上部には、養生設備１０を支持するときに、繋ぎ材１７に外嵌する嵌合体２５が設けられている。
【００４１】
第四連結桁３５にはその端部から上脚部２２ａまで斜めに延びる第三斜体３６が設けられている。それぞれの連結桁の中間部には、第一連結桁３２と第二連結桁３３とを繋ぐ下連結体３７と、第三連結桁３４と第四連結桁３５とを繋ぐ上連結体３８とが設けられている。また、第一〜第四連結桁３２、３３、３４、３５と、上又は下連結体３７、３８と、門型支柱２１とで囲まれた空間には筋交３９が設けられている。
【００４２】
次に、１０５００ｍｍの長さで坑口から逐次打設が行われる二次覆工コンクリート９の初期養生を３機の養生設備１０を用いて行う場合について、図６〜９を用いて説明する。
【００４３】
（１）図６（ａ）、図８（ａ）に示すように、セントル台車５により、既打設の二次覆工コンクリート９の端より切羽側において二次覆工コンクリート９ｂの打設が行われている。また、既打設の二次覆工コンクリート９の中で初期養生中の部位は、その内周面９ａが３機の養生設備１０で覆われている。３機の養生設備１０は、切羽側（セントル台車５側）より、第一養生設備１０ａ、第二養生設備１０ｂ、第三養生設備１０ｃの順に並び、それぞれがサポートジャッキ１９の伸長により自立している。また、養生設備用移動架台２０は第三養生設備１０ｃの内空間で昇降ジャッキ２７を縮退させた状態で待機している。
【００４４】
（２）図６（ｂ）、図８（ｂ）に示すように、二次覆工コンクリート９ｂの打設が終了したセントル台車５は脱型して切羽側に１０５００ｍｍ移動する。また、この時、３機の養生設備１０で内周面９ａが覆われている二次覆工コンクリート９の部位の中で、内周面９ａが第三養生設備１０ｃで覆われている部位については、初期養生が終了していることから、養生設備用移動架台２０は、昇降ジャッキ２７を伸長して第四連結桁３５を上昇させる。
【００４５】
（３）そして、第三養生設備１０ｃを支持しているサポートジャッキ１９を縮退させて第三養生設備１０ｃを第四連結桁３５で支持した後、図６（ｃ）、図９（ａ）に示すように、昇降ジャッキ２７を縮退させることで、第四連結桁３５を下降させて、第三養生設備１０ｃを低い位置にする。また、レバーブロック（登録商標）２８の一端を保持材１４の下端付近に取着されている繋ぎ材１７に掛止して、保持材１４の両端（第三養生設備１０ｃの下端部）をレバーブロック（登録商標）２８により養生設備用移動架台２０に引き寄せる。
【００４６】
（４）この状態で、図７（ａ）、図９（ｂ）に示すように、第三養生設備１０ｃと養生設備用移動架台２０とが、サポートジャッキ１９の伸長により自立している第二養生設備１０ｂ及び第一養生設備１０ａの内空間を切羽側へ移動する。
【００４７】
（５）そして、セントル台車５の移動により露出した二次覆工コンクリート９ｂの内空間に移動した養生設備用移動架台２０は、図７（ｂ）に示すように、昇降ジャッキ２７を伸長させることで第四連結桁３５を上昇させて、第三養生設備１０ｃを上げると共に、サポートジャッキ１９の伸長により養生パネル１１を二次覆工コンクリート９ｂの内周面９ａに当接させて、第三養生設備１０ｃを自立させる。なお、第三養生設備１０ｃの坑口側の端と第一養生設備１０ａの切羽側の端とは、互いの係止凸部１３ａと係止凹部１３ｂとを係止させている。
【００４８】
（６）その後、養生設備用移動架台２０は、昇降ジャッキ２７を縮退させ、図７（ｃ）に示すように、第二養生設備１０ｂの内空間に移動して待機する。
【００４９】
本考案の実施例１の養生設備用移動架台２０によれば、次の効果が得られる。
・二次覆工コンクリート９の初期養生に使用された養生設備１０を、複数の養生パネル１１が二次覆工コンクリート９の内周面９ａを覆うように組み立てられた状態のまま、切羽側に移動して、新たに打設された二次覆工コンクリート９の初期養生に用いることができることから、養生パネル１１の組立と解体との繰り返し作業を減らすことができる。
・初期養生が終わった二次覆工コンクリート９に使用されている養生設備１０を、二次覆工コンクリート９の初期養生中の他の養生設備１０の内空間を移動させて、新たに打設された二次覆工コンクリート９の初期養生に用いることから、初期養生が終わるまで二次覆工コンクリート９と養生設備１０（養生パネル１１）とを縁切りしないで、効率的に二次覆工コンクリート９の初期養生を行うことができる。
【実施例２】
【００５０】
本考案の実施例２の養生設備用移動架台５０について図１０、１１を用いて説明する。
【００５１】
養生設備用移動架台５０は、鋼材からなっており、トンネル８内の地面７に互いに平行に敷設された２本のレール６に載っている２本の門型支柱５１と、２本の門型支柱５１を繋ぐ連結桁６２、６３と、電動チェーンブロック７１によって昇降して、養生設備１０を支持する支持部７２とを備えている。
【００５２】
門型支柱５１は、二次覆工コンクリート９の長さ方向に互いに間隔をおいて略平行に直立して並んでいる。門型支柱５１は、上方へと延びる２本の脚部５２と、この２本の脚部５２を繋ぐ上繋ぎ部５３及び下繋ぎ部５４とを有して門型をしている。脚部５２の下端には、レール６に沿ってトンネル８内を容易に移動できるように車輪５６が軸支されている。車輪５６は、ゴム車輪又はプラスチック車輪である。レール６は溝型鋼からなり、この溝面を車輪５６が移動する。また、車輪５６の一部には、減速機付きの電動機７３が接続されて、自走できるようになっている。
【００５３】
脚部５２は、養生設備１０を支持するときに、保持材１４の両下端部を養生設備用移動架台５０に引き寄せるためのレバーブロック（登録商標）５８が下部に設けられている。また、上部には、電動チェーンブロック７１を支持するための支持片７４が設けられている。
【００５４】
２本の繋ぎ部５３、５４は、その中間部を５個の中間連結体５９で繋がれている。また、下繋ぎ部５４は、脚部５２まで斜めに延びる斜体６０が設けられている。
【００５５】
連結桁は、脚部５２の下部を繋ぐ下連結桁６２と、脚部５２の上部を繋ぐ上連結桁６３とからなる。上連結桁６３と下連結桁６２との中間部には、上連結桁６３と下連結桁６２を繋ぐ桁連結体６７が設けられている。
【００５６】
支持部７２は、脚部５２と略平行に伸び、下端が電動チェーンブロック７１に支持され、電動チェーンブロック７１の駆動により、脚部５２に沿って上下する昇降体７５と、二次覆工コンクリート９の内周面９ａと略同じ曲率に湾曲し、両端部が昇降体７５に支持されている支持棒７６とを備えている。支持部７２は、支持棒７６が養生設備１０に当接することで養生設備１０を支持している。
【００５７】
本考案の実施例２の養生設備用移動架台５０によれば、実施例１の養生設備用移動架台２０で得られる効果に加え、次の効果が得られる。
・電動機７３により自走できることから、移動が容易に行える。
【００５８】
なお、本考案は前記実施例に限定されるものではなく、考案の趣旨から逸脱しない範囲で適宜変更して具体化することができる。例えば、トンネル内に設置された風管を支持するためのローラを装備する。
【符号の説明】
【００５９】
５    セントル台車
６    レール
７    地面
８    トンネル
９    二次覆工コンクリート
９ａ    内周面
９ｂ    二次覆工コンクリート
１０    養生設備
１０ａ    第一養生設備
１０ｂ    第二養生設備
１０ｃ    第三養生設備
１１    養生パネル
１２    係合凹部
１４    保持材
１７    繋ぎ材
１９    サポートジャッキ
２０    養生設備用移動架台
２１    門型支柱
２６    車輪
２７    昇降ジャッキ
２８    レバーブロック（登録商標）
３５    第四連結桁
５０    養生設備用移動架台
５６    車輪
５８    レバーブロック（登録商標）
７１    電動チェーンブロック
７２    支持部
【図１】
0003180356.tif 000003
【図２】
0003180356.tif 000004
【図３】
0003180356.tif 000005
【図４】
0003180356.tif 000006
【図５】
0003180356.tif 000007
【図６】
0003180356.tif 000008
【図７】
0003180356.tif 000009
【図８】
0003180356.tif 000010
【図９】
0003180356.tif 000011
【図１０】
0003180356.tif 000012
【図１１】
0003180356.tif 000013
【図１２】
0003180356.tif 000014